(57)【特許請求の範囲】
【請求項１】
液体を入れるための透明の容器であって、
表面に一色と別の色との2色の印刷が施され、
前記一色の印刷は前記別の色の液体を示す表示であり、
前記別の色の印刷は前記一色の色の液体を示す表示であり、
前記一色と同じ色の液体を前記容器に注ぐと、当該一色の印刷が同化により視認できなくなり、
前記別の色と同じ色の液体を注ぐと、当該別の色の印刷が同化により視認できなくなる一方前記一色は視認できるようになる、
液体の容器。
【発明の詳細な説明】
【技術分野】
【０００１】
本発明は、液体を入れ、特に飲料を入れる透明容器に関する。
【背景技術】
【０００２】
ガラスコップなど透明の容器に印刷が施されたものが存在する。それらは意匠的に楽しむことを目的とされており、機能的な意味合いはない。【０００３】
また、演出機能のあるグラスも開発されている。 例えば特許文献1では飲料にプロジェクションする技術が開示されている。 
【先行技術文献】
【特許文献】
【０００４】
【特許文献１】特許第６６７９０７６号
【発明の概要】
【発明が解決しようとする課題】
【０００５】
しかし、特許文献１の技術においては専用の装置及び電力が必要であり、導入においてのハードルが高いという問題がある。本発明は上記問題を鑑み、印刷のみで視覚的にも楽しめ、機能性を発揮するグラスを提供することを課題とする。 
【課題を解決するための手段】
【０００６】
上記課題を解決するため、本発明の液体の容器は、液体を入れるための透明の容器であって、表面に少なくとも２色の印刷が施され、そのうち一色と同じ色の液体を前記容器に注ぐと、当該一色の印刷が同化により視認できなくなり、前記印刷のうち別の色と同じ色の液体を注ぐと、当該別の色の印刷が同化により視認できなくなる一方前記一色は視認できるようになる、液体の容器である。【０００７】
さらに、前記印刷は２色であり、前記一色の印刷は前記別の色の液体を示す表示であり、前記別の色の印刷は前記一色の色の液体を示す表示であってもよい。
【発明の効果】
【０００８】
このような液体の容器によれば、液体の色によって表示が消え、液体を注ぐことに楽しさを与えると同時に、コップ内の液体が何であるかを伝えることができ、誤飲防止にもなる。
【図面の簡単な説明】
【０００９】
【図１】実施形態のグラスを示す正面図である。
【図２】図１のグラスに牛乳を注いだ状態を示す正面図である。
【図３】図１のグラスにコーヒーを注いだ状態を示す正面図である。
【図４】図１のグラスにコーヒー牛乳を入れた状態を示す正面図である。
【図５】図１のグラスを繁体字で表したグラスを示す正面図である。
【図６】図５のグラスに牛乳を注いだ状態を示す正面図である。
【図７】図５のグラスにコーヒーを注いだ状態を示す正面図である。
【図８】図５のグラスにコーヒー牛乳を入れた状態を示す正面図である。
【図９】別の実施形態のグラスを示す正面図である。
【図１０】さらに別の実施形態のグラスを示す正面図である。
【図１１】図１０のグラスに牛乳を注いだ状態を示す正面図である。
【図１２】図１１のグラスにコーヒーを注いだ状態を示す正面図である。
【図１３】図１２のグラスにコーヒー牛乳を入れた状態を示す正面図である。
【発明を実施するための形態】
【００１０】
本発明の液体の容器の実施形態について説明する。図１は、実施形態のグラスを表す正面図である。
【００１１】
グラス１は、透明のガラスのコップである。印刷の影が中の液体に映るのを最小限にするため、壁面の厚みはなるべく薄い方が望ましく、例えば５ミリ以内である。
【００１２】
印刷２は、白い塗料による印刷であり、「珈琲」の文字の印刷２がグラスの壁面、高さ中央より少し上に印刷されている。
【００１３】
印刷３は、黒い塗料による印刷であり、「牛乳」の文字の印刷３がグラスの壁面、高さ中央より少し下に印刷されている。特にこの場合は中に白い液体が入ることを想定しているから、印刷の影が中の液体に映るのを最小限にするため、文字の太さ、特に垂直方向の幅はなるべく細い方が望ましい。
【００１４】
図２は、図１のグラス１に牛乳Mを注いだ状態を示す正面図である。牛乳は白いため、「珈琲」の文字の印刷２よりも高く牛乳Mを注ぐと、白く印刷された「珈琲」の文字の印刷２が牛乳Mの色と同化して視認できなくなり、消えたように見える。一方、「牛乳」の文字の印刷３は黒いため、コントラストが強調され、牛乳Mを注いだ状態で、よりはっきりと視認できるようになる。
【００１５】
このように、グラス１に牛乳を注ぐと「珈琲」の文字が消え、「牛乳」の文字だけが視認できるから、表示が内容物を表していることになり、文字が消えていく過程の視覚効果を含め手品的な面白さを生むと同時に、何らの外的な力を加えることなく内容物を表示することができる。
【００１６】
一方、図３は、図１のグラス１にコーヒーCを注いだ状態を示す正面図である。コーヒーは黒いため、「牛乳」の文字の印刷３よりも高くコーヒーCを注ぐと、黒く印刷された「牛乳」の文字の印刷３がコーヒーCの色と同化して視認できなくなり、消えたように見える。一方、「珈琲」の文字の印刷２よりも高くコーヒーCを注ぐと、「珈琲」の文字の印刷２は白いため、コントラストが強調され、コーヒーCを注いだ状態で、よりはっきりと視認できるようになる。
【００１７】
このように、グラス１にコーヒーを注ぐと「牛乳」の文字が消え、「珈琲」の文字だけが視認できるから、表示が内容物を表していることになり、文字が消えていく過程の視覚効果を含め手品的な面白さを生むと同時に、何らの外的な力を加えることなく内容物を表示することができる。
【００１８】
図４は、実施形態のグラス１にコーヒー牛乳CMを入れた状態を示す正面図である。図４において、グラス１にはコーヒー牛乳CMが注がれているが、コーヒー牛乳は薄茶色であるから、印刷２，３のいずれも同化することなく、すなわち「珈琲牛乳」の文字が表示されることになる。
【００１９】
このように、グラス１にコーヒー牛乳を注ぐと「珈琲牛乳」の文字が視認できるから、表示が内容物を表していることになり、上述のコーヒー及び牛乳を注いだ時の視覚効果との一連の流れの中で手品的な面白さを生むと同時に、何らの外的な力を加えることなく内容物を表示することができる。
図５〜８は、図１〜４のグラスにおいて「珈琲牛乳」の文字を繁体字で表したものである。構成及び効果については図１〜４のグラスと同様であるから、同じ符号を付し、説明を省略する。
【００２０】
図５は、別の実施形態のグラス１１を示す正面図である。このグラス１１は把手を有するジョッキ型であるが、構造としては前出のグラス１と同様であり、白い塗料で「珈琲」の文字の印刷２がグラスの壁面、高さ中央より少し上に印刷されているとともに、黒い塗料で「牛乳」の文字の印刷３がグラスの壁面、高さ中央より少し下に印刷されている。
【００２１】
このようなグラス１１にコーヒー、牛乳、コーヒー牛乳を注ぐと、それぞれ、「珈琲」の文字、「牛乳」の文字、その両方の文字、が視認できるから、表示が内容物を表していることになり、手品的な面白さを生むと同時に、何らの外的な力を加えることなく内容物を表示することができる。
【００２２】
図６は、さらに別の実施形態のグラス１２を示す正面図である。このグラス１２は前出のグラス１と同様のグラスであるが、印刷が異なり、白い塗料で「COFFEE」の文字と共にコーヒー豆のイラストの印刷２２がグラスの壁面、高さ中央に印刷されているとともに、黒い塗料で「MILK」の文字と共に牛乳瓶の輪郭を模したイラストの印刷３２がグラスの壁面、高さ中央の印刷２２の左隣に印刷されている。
【００２３】
このようなグラス１２に牛乳M、コーヒーC、コーヒー牛乳CMを注ぐと、それぞれ、図１１に示すように「MILK」の文字と共に牛乳瓶の輪郭を模したイラスト３２、図１２に示すように「COFFEE」の文字と共にコーヒー豆のイラスト２２、図１３に示すようにその両方の文字とイラスト、が視認できるから、表示が内容物を表していることになり、手品的な面白さを生むと同時に、何らの外的な力を加えることなく内容物を表示することができる。
【００２４】
以上のように、本発明のグラスによれば、色のついた液体を注いだ際に、表示が内容物を表していることになり、手品的な面白さを生むと同時に、何らの外的な力を加えることなく内容物を表示することができる。印刷手法については、シルク印刷、UV印刷、パッド印刷などがあり得る。本発明のグラスは実施形態に限られない。例えば、印刷の位置は容器の中央付近でなく下部でもよい。容器の形状としては、コップ、グラスのほか、ワイングラス、ピッチャーなどがあり得る。素材としては、ガラス、プラスチック、アクリルなど透明であればよい。２色の色文字の組み合わせとしては、牛乳とコーヒーのような白と黒のほか、紅茶とミルクのような茶色と白なども考えられる。なお、上記の実施形態では白と黒の二色の印刷を用いた飲料用のグラスを用いて説明したが、本発明は飲料用に限らず、また３色以上の印刷であってもよい。色がグラデーションになっている印刷とすることもできる。例えば、試験管にグラデーションの色で印刷し、そこに数字が印刷されている場合、中の液体に検査薬を注ぎｐHにより色が変化した際に、グラデーションのうち見えなくなった色の上に付された数字が当該液体のｐHを示すといった運用ができる。また、ウイスキーなど色のついたアルコールを水で薄める場合に、グラスに複数色で印刷がしてあれば、ウイスキーの濃度をこれで見分けるといった使い方もでき、ノベルティーとしても適したグラスとなる。
【符号の説明】
【００２５】
１  グラス
２  白い印刷
３  黒い印刷
M  牛乳
C  コーヒー
CM  コーヒー牛乳
【要約】
【課題】  印刷のみで視覚的にも楽しめ、機能性を発揮するグラスを提供する。
【解決手段】白い塗料による印刷であり「珈琲」の文字の印刷２と黒い塗料による「牛乳」の文字の印刷３とを有する透明のグラス１を構成する。
【選択図】  図１【図１】
0006981598.tif 000002
【図２】
0006981598.tif 000003
【図３】
0006981598.tif 000004
【図４】
0006981598.tif 000005
【図５】
0006981598.tif 000006
【図６】
0006981598.tif 000007
【図７】
0006981598.tif 000008
【図８】
0006981598.tif 000009
【図９】
0006981598.tif 000010
【図１０】
0006981598.tif 000011
【図１１】
0006981598.tif 000012
【図１２】
0006981598.tif 000013
【図１３】
0006981598.tif 000014